(57)【特許請求の範囲】
【請求項１】
地中に埋設される地中埋設箱内における防蟻構造であって、
前記地中埋設箱の側壁に形成された貫通孔に、保護管が、直接または接続具を介して接続されて、前記保護管内と前記地中埋設箱内とに渡ってケーブルが配設され、
前記地中埋設箱の内面において、防蟻成分を含有する防蟻具が、前記地中埋設箱が有する接合部に跨がって、またはその接合部と前記貫通孔との間に、配置され、また、
前記保護管は、少なくとも内面側に防蟻処理が施されている、地中埋設箱の防蟻構造。
【請求項２】
前記防蟻具は、シート状に形成された防蟻シートからなる、請求項１に記載の地中埋設箱の防蟻構造。
【請求項３】
前記保護管の、少なくとも内面側に施される防蟻処理は、前記保護管自身が防蟻成分を含有する材料で形成され、または、その保護管の内面を形成する層が防蟻成分を含有する材料で形成されることによる、請求項１または２に記載の地中埋設箱の防蟻構造。
【請求項４】
前記地中埋設箱の、前記保護管が接続される接続部分において、前記ケーブルと、前記保護管または前記接続具との間が、防蟻成分を含有する他の防蟻具により、閉塞される、請求項１ないし３のいずれか１項に記載の地中埋設箱の防蟻構造。
【発明の詳細な説明】
【技術分野】
【０００１】
この発明は、地中埋設箱内へのシロアリの侵入を防止する防蟻構造に関するものである。
【背景技術】
【０００２】
従来より、ケーブルが配設される管路内とか胴道内等にシロアリが住むのを防止するため、前記管路内等に防蟻剤を散布してシロアリを駆除する防蟻方法が知られていた（例えば、特許文献１参照）。
【先行技術文献】
【特許文献】
【０００３】
【特許文献１】特許第２７９５５１２号公報
【発明の概要】
【発明が解決しようとする課題】
【０００４】
しかし、前記従来の防蟻方法は、管路（保護管）内にシロアリが侵入することは防げても、管路が接続される地中埋設箱においては、防蟻が十分とはいえなかった。
【０００５】
この発明は、上記した従来の欠点を解決するためになされたものであり、その目的とするところは、必要とする防蟻効果を容易に得ることができる、地中埋設箱の防蟻構造を提供することにある。
【課題を解決するための手段】
【０００６】
この発明に係る地中埋設箱の防蟻構造は、前記目的を達成するために、次の構成からなる。すなわち、
請求項１に記載の発明に係る地中埋設箱の防蟻構造は、地中に埋設される地中埋設箱内における防蟻構造であって、前記地中埋設箱の側壁に形成された貫通孔に、保護管が、直接または接続具を介して接続されて、前記保護管内と前記地中埋設箱内とに渡ってケーブルが配設される。ここで、前記地中埋設箱の内面において、防蟻成分を含有する防蟻具が、前記地中埋設箱が有する接合部に跨がって、またはその接合部と前記貫通孔との間に、配置される。そして、前記保護管は、少なくとも内面側に防蟻処理が施されている。
【０００７】
この防蟻構造によると、地中埋設箱は、その内面において、防蟻具が、接合部に跨がって配置されたり、接合部と貫通孔との間に配置されたりする。そこで、防蟻具が接合部に跨がって配置されると、接合部から内部に侵入しようとするシロアリを、その防蟻具でくい止めることができ、そのシロアリが保護管とかケーブルに達するのを防ぐことができる。そして、防蟻具が接合部と貫通孔との間に配置された場合には、シロアリが接合部から内部に侵入したとしても、その防蟻具により、シロアリが保護管とかケーブルに達するのを防ぐことができる。また、保護管は、少なくとも内面側に防蟻処理が施されており、これによって、シロアリが保護管の内面を伝って地中埋設箱内に侵入するのを防ぐことができる。
【０００８】
また、請求項２に記載の発明に係る地中埋設箱の防蟻構造のように、請求項１に記載の防蟻構造において、前記防蟻具は、シート状に形成された防蟻シートからなってもよい。
【０００９】
また、請求項３に記載の発明に係る地中埋設箱の防蟻構造のように、請求項１または２に記載の防蟻構造において、前記保護管の、少なくとも内面側に施される防蟻処理は、前記保護管自身が防蟻成分を含有する材料で形成され、または、その保護管の内面を形成する層が防蟻成分を含有する材料で形成されることによってもよい。
【００１０】
また、請求項４に記載の発明に係る地中埋設箱の防蟻構造のように、請求項１ないし３のいずれか１項に記載の防蟻構造において、前記地中埋設箱の、前記保護管が接続される接続部分において、前記ケーブルと、前記保護管または前記接続具との間が、防蟻成分を含有する他の防蟻具により、閉塞されてもよい。こうして、ケーブルと、保護管または接続具との間を、他の防蟻具により閉塞することで、保護管内にシロアリが侵入したとしても、そのシロアリが保護管内と地中埋設箱内との間を移動するのを防ぐことができる。
【発明の効果】
【００１１】
この発明に係る地中埋設箱の防蟻構造によれば、地中埋設箱内に防蟻具を配置し、保護管の少なくとも内面側に防蟻処理を施すことで、地中埋設箱の接合部からシロアリが内部に侵入して保護管とかケーブルに達するのを防ぐとともに、シロアリが保護管の内面を伝って地中埋設箱内に侵入するのを防ぐことができ、必要とする防蟻効果を容易に得ることができる。
【図面の簡単な説明】
【００１２】
【図１】この発明の一実施の形態の、断面図である。
【図２】同じく、変形例を示す、要部拡大断面図である。
【図３】同じく、他の変形例を示す、要部拡大断面図である。
【発明を実施するための形態】
【００１３】
以下、この発明に係る地中埋設箱の防蟻構造を実施するための形態を図面に基づいて説明する。
【００１４】
図１は、本発明の一実施の形態を示す。図中符号１は、地中を示し、２は、地中１に埋設される地中埋設箱を示す。３は、前記地中埋設箱２に接続される保護管を示す。４は、前記保護管３内に通されるケーブル（電力ケーブルとか通信ケーブル（光ファイバケーブルを含む））を示す。５は、前記地中１に埋設される地中埋設箱２内における防蟻構造を示す。
【００１５】
この防蟻構造５は、地中埋設箱２の側壁２ａに形成された貫通孔２ｂに、保護管３が直接または接続具を介して接続されて（図示実施の形態においては、保護管３が直接接続されて）、保護管３内と地中埋設箱２内とに渡ってケーブル４が配設される。そして、地中埋設箱２は、その地中埋設箱２の内面において、防蟻成分を含有する防蟻具２ｐが、その地中埋設箱２が有する接合部２ｃに跨がって、またはその接合部２ｃと貫通孔２ｂとの間に、配置される。詳細には、この防蟻具２ｐは、シート状に形成された防蟻シートからなる。
【００１６】
具体的には、地中埋設箱２は、ハンドホールとかマンホール等からなる。この地中埋設箱２は、前述の接合部２ｃを有する。詳細には、地中埋設箱２は、底壁２ｄと側壁２ａとを有する箱本体２ｅと、その箱本体２ｅの上方の開口２ｆ周りに配置される枠状の蓋受け２ｇと、開口２ｆを閉じるように蓋受け２ｇに載せられる蓋体２ｈとを備える。さらに、箱本体２ｅは、側壁２ａの中間位置で分離されて、下側の第１構成体２ｉと、上側の第２構成体２ｊとで構成される。そこで、第１構成体２ｉと第２構成体２ｊとの間が前記接合部２ｃとしての第１接合部２ｋとなり、この第１接合部２ｋには、一般には、ブチルパテ等のパテが詰められる。そして、箱本体２ｅ（詳しくは、第２構成体２ｊ）と蓋受け２ｇとの間が前記接合部２ｃとしての第２接合部２ｍとなり、蓋受け２ｇと蓋体２ｈとの間が前記接合部２ｃとしての第３接合部２ｎとなる。
【００１７】
また、地中埋設箱２は、第１接合部２ｋに跨がって、前述の防蟻具２ｐとしての第１防蟻シート２ｑが配置され、第２接合部２ｍおよび第３接合部２ｎと貫通孔２ｂとの間に、防蟻具２ｐとしての第２防蟻シート２ｒが配置される。ここで、第１および第２防蟻シート２ｑ、２ｒは、不織布に防蟻成分を含有するものである。詳細には、不織布に防蟻成分を内包したマイクロカプセルが付着（詳しくは、非水溶性の接着剤を用いて接着されることによる付着）されて形成される。この防蟻成分としては、例えば、クロチアニジン等のネオニコチノイド系化合物、ピレスロイド系剤、有機リン剤、カーバメート剤、ホウ素化合物、フッ素化合物などが挙げられる。
【００１８】
保護管３は、ケーブル４を収容保護する電線管であって、図示実施の形態においては、その長手方向に波が形成された波付管からなり、可撓性を備える。そして、保護管３は、少なくとも内面側に防蟻処理が施されている。詳細には、保護管３の、少なくとも内面側に施される防蟻処理は、保護管３自身が防蟻成分を含有する材料で形成されることによる。ここで、防蟻成分としては、防蟻具２ｐの場合と同様の成分が挙げられ、この防蟻成分は、通常、マイクロカプセルに封入され、ベースとなる合成樹脂材料とともに混練されて成形される。
【００１９】
また、地中埋設箱２の、保護管３が接続される接続部分において、ケーブル４と、保護管３または接続具（図示実施の形態においては、保護管３）との間が、防蟻成分を含有する他の防蟻具６により、閉塞される。ここで、防蟻具６は、通水性を備える。
【００２０】
この防蟻具６は、例えば、ケーブル４の外周に巻きつけ可能なシート状に形成された防蟻シート６ａからなる。そして、この防蟻シート６ａは、第１および第２防蟻シート２ｑ、２ｒと同様に、不織布に防蟻成分を含有するものである。詳細には、防蟻シート６ａは、不織布に防蟻成分を内包したマイクロカプセルが付着（詳しくは、非水溶性の接着剤を用いて接着されることによる付着）されて形成される。ここで、防蟻成分としては、防蟻具２ｐの場合と同様の成分が挙げられる。なお、図示実施の形態においては、保護管３の口元部分には、ベルマウス７が挿入されて、防蟻シート６ａ（防蟻具６）は、ケーブル４とベルマウス７との間に詰められる。
【００２１】
また、ケーブル４は、地中埋設箱２内において、連結具８により連結されている。そして、連結具８の両端においては、その連結具８とケーブル４とに跨がるように、前記防蟻シート６ａと同様の防蟻シート９が巻きつけられる。なお、図中符号１０は、地中埋設箱２の貫通孔２ｂにおいて、その内面と保護管３との間の隙間を埋めるモルタル等の充填材を示す。
【００２２】
次に、以上の構成からなる地中埋設箱２の防蟻構造５の作用効果について説明する。この防蟻構造５によると、地中埋設箱２は、その内面において、防蟻具２ｐが、接合部２ｃに跨がって配置されたり、接合部２ｃと貫通孔２ｂとの間に配置されたりする。そこで、防蟻具２ｐ（詳しくは、第１防蟻シート２ｑ）が接合部２ｃ（詳しくは、第１接合部２ｋ）に跨がって配置されると、接合部２ｃ（詳しくは、第１接合部２ｋ）から内部に侵入しようとするシロアリを、その防蟻具２ｐ（詳しくは、第１防蟻シート２ｑ）でくい止めることができ、そのシロアリが保護管３とかケーブル４に達するのを防ぐことができる。そして、防蟻具２ｐ（詳しくは、第２防蟻シート２ｒ）が接合部２ｃ（詳しくは、第２接合部２ｍとか第３接合部２ｎ）と貫通孔２ｂとの間に配置された場合には、シロアリが接合部２ｃ（詳しくは、第２接合部２ｍとか第３接合部２ｎ）から内部に侵入したとしても、その防蟻具２ｐ（詳しくは、第２防蟻シート２ｒ）により、シロアリが保護管３とかケーブル４に達するのを防ぐことができる。そして、保護管３は、少なくとも内面側に防蟻処理が施されており、これによって、シロアリが保護管３の内面を伝って地中埋設箱２内に侵入するのを防ぐことができる。すなわち、この防蟻構造５によれば、地中埋設箱２内に防蟻具２ｐを配置し、保護管３の少なくとも内面側に防蟻処理を施すことで、地中埋設箱２の接合部２ｃからシロアリが内部に侵入して保護管３とかケーブル４に達するのを防ぐとともに、シロアリが保護管３の内面を伝って地中埋設箱２内に侵入するのを防ぐことができ、必要とする防蟻効果を容易に得ることができる。また、これにより、ケーブル４として、表面をシロアリが食い破ることのできない硬い材料で被覆する等した、高価な防蟻ケーブルを用いる必要がない。
【００２３】
また、ケーブル４と、保護管３または接続具（図示実施の形態においては、保護管３）との間を、他の防蟻具６により閉塞することで、保護管３内にシロアリが侵入したとしても、そのシロアリが保護管３内と地中埋設箱２内との間を移動するのを防ぐことができる。そして、防蟻具６は、通水性を備えており、保護管３は内に雨水や地下水が流れ込んだとしても、その水は、防蟻具６を通過して、地中埋設箱２側へと流れ出ることができる。このため、ケーブル４が水に長期間浸されることがなく、ケーブル４への水の浸透を防ぐことができる。なお、地中埋設箱２内に入った水は、ポンプ等により排出されたり、また、地中埋設箱２に水抜き孔が設けられる場合には、その水抜き孔を通して排出される。
【００２４】
また、防蟻具６は、防蟻シート６ａからなる。このため、その防蟻シート６ａをケーブル４の外周に巻きつけることで、ケーブル４とか、保護管３や接続具（図示実施の形態においては、保護管３）の各種サイズに対応することができる。
【００２５】
また、防蟻シート６ａ（防蟻具６）は、不織布を用いたものであり、そのことによって、防蟻シート６ａは、通水性を備えるが、その不織布がシロアリに絡み付きやすく、その不織布自身によってもシロアリの移動を防ぐことができる。
【００２６】
なお、本発明は、上述した実施の形態に限定されるわけではなく、その他種々の変更が可能である。例えば、保護管３は、波付管でなくとも、平滑管であってもよい。
【００２７】
また、保護管３は、その保護管３自身が防蟻成分を含有する材料で形成されるが、その保護管３が多層管からなる場合には、その保護管３の内面を形成する層（内層）が防蟻成分を含有する材料で形成されてもよい。また、保護管３の内面側に防蟻処理を施す方法としては、保護管３の全体または前記内層の材料が防蟻成分を含有する以外に、保護管３の内面に、防蟻成分を有する防蟻剤を塗布、散布して付着させてもよい。
【００２８】
また、保護管３に挿入されるベルマウス７においても、保護管３と同様に、防蟻処理が施されてもよい。
【００２９】
また、地中埋設箱２内に配置される防蟻具２ｐは、不織布によって形成されなくとも、前述した防蟻成分が、例えばマイクロカプセルに封入され、ベースとなる合成樹脂材料とともに混練されてシート状に成形されたものでもよい。
【００３０】
また、防蟻具６は、シート状に形成された防蟻シート６ａからならなくとも、ケーブル４が挿入される筒状体からなって、例えば、通水性を備えた多孔質材料によって形成されてもよい。
【００３１】
また、図２に示すように、保護管３は、地中埋設箱２の貫通孔２ｂに、直接接続されなくとも、接続具１１を介して接続されてもよい。そして、この場合には、ケーブル４と接続具１１との間が、防蟻具６により閉塞される。ここで、接続具１１は、筒状に形成された、第１コネクタ１１ａと第２コネクタ１１ｂとを備える。第１コネクタ１１ａは、地中埋設箱２の外側に配置されて、保護管３が挿入され接続される。第２コネクタ１１ｂは、地中埋設箱２の内側から貫通孔２ｂに挿入されて第１コネクタ１１ａに、例えばねじ込まれることにより連結される。また、この接続具１１においては、第１コネクタ１１ａの内面と保護管３の外面との間に、オーリング１２が配置され、第１コネクタ１１ａの端面と地中埋設箱２の外面との間に、パッキン１３が配置される。そして、この接続具１１においても、保護管３と同様に、防蟻処理が施されてもよい。
【００３２】
また、この図２に示す例においては、防蟻具６とケーブル４との間に、防蟻具６の防蟻成分がケーブル４に移行するのを防止するシート材１４が配置される。このシート材１４は、例えば、ステンレスとかアルミ等の金属からなる。そして、シート材１４は、テープ状に形成されて、ケーブル４に巻かれる。これにより、防蟻成分がケーブル４に移行するのが防止され、また、防蟻具６が防蟻成分とともに有機溶剤を含有する場合であっても、その有機溶剤がケーブル４に移行することがない。また、このシート材１４は、前述の図１に示す例とか、後述する図３に示す例においても、用いることができる。
【００３３】
また、図３に示すように、地中埋設箱２の貫通孔２ｂ内において、保護管３の外周に防蟻シート１５が巻きつけられてもよい。ここで、防蟻シート１５は、前述した防蟻成分が、例えばマイクロカプセルに封入され、ベースとなる合成樹脂材料とともに混練されて成形される。もっとも、この防蟻シート１５は、前述の第１および第２防蟻シート２ｑ、２ｒ、並びに、防蟻シート６ａと同様に、不織布を用いたものであってもよい。
【００３４】
また、ケーブル４と、保護管３または接続具１１との間が、防蟻具６によって閉塞されるが、この防蟻具６は、無くともよい。
【００３５】
また、図１および図３に示す例においては、保護管３の口元部分に、ベルマウス７が挿入されるが、このベルマウス７は、無くともよい。
【符号の説明】
【００３６】
１  地中
２  地中埋設箱
２ａ  側壁
２ｂ  貫通孔
２ｃ  接合部
２ｋ  第１接合部（接合部）
２ｍ  第２接合部（接合部）
２ｎ  第３接合部（接合部）
２ｐ  防蟻具
２ｑ  第１防蟻シート（防蟻具）
２ｒ  第２防蟻シート（防蟻具）
３  保護管
４  ケーブル
５  防蟻構造
６  防蟻具（他の防蟻具）
１１  接続具
【図１】
0006618674.tif 000002
【図２】
0006618674.tif 000003
【図３】
0006618674.tif 000004